(57)【要約】【課題】ユーザに対してＯＳの切替を意識させることなく、かつ動作のパフォーマンスを低下させることなく任意のアプリケーションの画面表示を切り替えることができるようにする。【解決手段】画像切替装置として実施されるディスプレイコントローラ３は、ＯＳが異なる複数の電子機器である複合機１と拡張装置２から出力された画像を切り替えて表示部４１に表示させる。表示制御部３１は、複合機１と拡張装置２で動作するアプリケーションを実行させるためのアイコンをまとめて示すホーム画面を表示部４１に表示させる。判断部３は、表示部４１に表示したホーム画面から特定のアイコンが選択されたことを示す操作情報を入力し、選択されたアイコンを判断する。表示制御部４１は、判断部４２による判断結果に従って、選択されたアイコンに対応するアプリケーションが動作する電子機器からの画像を表示部に表示させる。【選択図】図１
2015026100.tif 000002
【特許請求の範囲】
【請求項１】
ＯＳが異なる複数の電子機器から出力された画像を切り替えて所定の表示部に表示させる画像切替装置であって、
複数の電子機器のいずれかで動作するアプリケーションを実行させるための全てのアイコンをまとめて示すホーム画面を前記表示部に表示させる表示制御部と、
前記表示部に表示した前記ホーム画面から特定のアイコンが選択されたことを示す操作情報を入力し、該入力した操作情報に基づいて、選択されたアイコンを判断する判断部と、を有し、
前記表示制御部は、前記判断部による判断結果に従って、選択されたアイコンに対応するアプリケーションが動作する電子機器から出力された画像を前記表示部に表示させる制御を行うことを特徴とする画像切替装置。
【請求項２】
前記ホーム画面は、前記表示部に表示させている画像を出力する電子機器から取得されることを特徴とする請求項１に記載の画像切替装置。
【請求項３】
前記ホーム画面を予め記憶する記憶部を有し、
前記表示制御部は、前記記憶部から読み出した前記ホーム画面を前記表示部に表示することを特徴とする請求項１に記載の画像切替装置。
【請求項４】
ＯＳが異なる複数の電子機器と、画像を表示する表示部と、該表示部に表示された画像に対する操作入力を受け付ける操作部と、前記複数の電子機器から出力された画像を切り替えて前記表示部に表示させる画像切替装置とを有する画像切替システムであって、
前記画像切替装置は、
前記複数の電子機器のいずれかで動作するアプリケーションを実行させるための全てのアイコンをまとめて示すホーム画面を前記表示部に表示させる表示制御部と、
前記操作部に対して、前記表示部に表示した前記ホーム画面から特定のアイコンが選択される操作が行われた際に、前記操作部から出力された操作情報を入力し、該入力した操作情報に基づいて、選択されたアイコンを判断する判断部と、を有し、
前記操作情報は、前記複数の電子機器に入力され、前記選択されたアイコンに対応するアプリケーションを保持する電子機器は、前記選択されたアプリケーションを起動して、該アプリケーションにより生成された画像を前記表示制御部に出力し、
前記表示制御部は、前記判断部による判断結果に従って、選択されたアイコンに対応するアプリケーションが動作する電子機器から出力された画像を前記表示部に表示させる制御を行うことを特徴とする画像切替システム。
【請求項５】
ＯＳが異なる複数の電子機器から出力された画像を切り替えて所定の表示部に表示させる画像切替装置により実行する画像切替方法であって、
前記画像切替装置が、複数の電子機器のいずれかで動作するアプリケーションを実行させるための全てのアイコンをまとめて示すホーム画面を前記表示部に表示させるステップと、
前記画像切替装置が、前記表示部に表示した前記ホーム画面から特定のアイコンが選択されたことを示す操作情報を入力し、該入力した操作情報に基づいて、選択されたアイコンを判断する判断ステップと、
前記画像切替装置が、前記判断ステップによる判断結果に従って、選択されたアイコンに対応するアプリケーションが動作する電子機器から出力された画像を前記表示部に表示させるステップと、を有することを特徴とする画像切替方法。
【発明の詳細な説明】
【技術分野】
【０００１】
異なるＯＳ（Operating System）により動作するアプリケーションを１つのシステム内で使用できるようにする画像切替装置、画像切替システム及び画像切替方法に関する。
【背景技術】
【０００２】
アプリケーションが動作する複数の電子機器を使用し、これらの電子機器のアプリケーションを適宜実行してその結果となる画像を画面表示させるシステムがある。この場合、ユーザが所望するアプリケーションが動作する電子機器からの画像を表示できるように、通常は、ユーザ操作によって画像の入力を切り替えることで、切り替え先の電子機器のアプリケーションによる所望の実行結果を得ることができる。
【０００３】
また、昨今では各種の異なるＯＳが使用され、電子機器によっても動作するＯＳが異なることがある。この場合、使用するアプリケーションに応じて電子機器から出力された画像を切り替えるときに、画像を表示中の電子機器で動作するＯＳから、切り替え後の画像を生成する電子機器のＯＳに切り替えて、切り替え後のＯＳで動作するアプリケーションによる画像を表示させる必要がある。
【０００４】
異なるＯＳにより動作するアプリケーションの表示を切り替える技術に関して、例えば特許文献１には、選択された機能を実行するために仮想環境の切り替えが必要であったとしても、利用者に意識させることなく仮想環境を切り替えることができるようにするための機能提供装置およびプログラムが開示されている。
この機能提供装置には、複数のＯＳをそれぞれ仮想環境として動作させるためのハイパーバイザが備えられる。そしてハイパーバイザには、提供する機能の制御に関する処理を行う制御処理部と、当該機能に係るユーザーインタフェースに関する処理を行うＵＩ処理部がセットされる。これら処理部は、セット単位で各ＯＳに分散して設けられ、メニュー管理機能に関する処理部が設けられた一方のＯＳを画面共有サーバとし、他のＯＳ側のＵＩ処理部から出力された表示要求をその一方のＯＳ側へ提供し、当該表示要求に応じた画面を表示する。
【先行技術文献】
【特許文献】
【０００５】
【特許文献１】特開２０１１−１９７８５３号公報
【発明の概要】
【発明が解決しようとする課題】
【０００６】
上記のように、複数の電子機器からの画像を適宜切り替えて表示させるシステムでは、電子機器を切り替えるときに、ユーザが意識してＯＳを切り替える操作が必要となっている。
一方で、目的とする全てのアプリケーションを特定のＯＳが動作する一つの電子機器にまとめて設定しておけば、ユーザは所望のアプリケーションに応じてＯＳを切り替える操作を省略することができて利便性が高い。
【０００７】
しかしながら、一つのＯＳ用にアプリケーションを統合して設定する場合、ユーザが資産として持っているアプリケーションが目的とするＯＳに対応していないと、そのアプリケーションを目的とするＯＳに対応できるように移植し、最適化する必要がある。
このため、新たに１つのシステムを構築する場合に、異なるＯＳで動作するアプリケーションを資産として有している場合でも、そのシステムのＯＳに適したアプリケーションに移植する必要が生じ、システムの開発時間とコストが膨大となってしまう。
【０００８】
また、上記特許文献１の技術は、複数のＯＳを一つのシステムで動作させるために、複数のＯＳを仮想環境として動作させるためのハイパーバイザを備えることが特徴となっている。ハイパーバイザを動作方式により分類すると、まずハイパーバイザがハードウェア上で直接動作し、全てのＯＳ（ゲストＯＳ）がそのハイパーバイザ上で動作する方式と、ホストＯＳ上でアプリケーションとして動作するハイパーバイザによる動作方式とがある。さらに上記の仮想化には、完全仮想化と準仮想化との２種類の仮想化技術が存在する。
【０００９】
しかしながら、特許文献１のようにハイパーバイザの使用を前提とする構成の場合、採用したハイパーバイザ上で動作可能なＯＳしか利用することができない。従って、ハイパーバイザ上で動作できない新しいＯＳや、ユーザが独自にカスタマイズしたＯＳは実質的に利用不可能となる。
また、仮想化する場合に、完全仮想化を行うと大きくパフォーマンスが低下する。またこの場合にはＣＰＵへの負荷が必然的に増大する。一方、準仮想化を行う場合、採用するハイパーバイザ用にゲストＯＳの修正が必要となる。また、そのためにはＯＳのソースコードの改変が必要であるため、例えば汎用的なWindows（登録商標）等のＯＳを使用することはできない。
【００１０】
本発明は、上述のごとき実情に鑑みてなされたもので、異なるＯＳで動作するアプリケーションを使用するシステムにおいて、ユーザに対してＯＳの切替を意識させることなく、かつ動作のパフォーマンスを低下させることなく任意のアプリケーションの画面表示を切り替えることができるようにする画面切替装置、画面切替システムおよび画面切替方法を提供することを目的とする。
【課題を解決するための手段】
【００１１】
上記課題を解決するために、本発明の第１の技術手段は、ＯＳが異なる複数の電子機器から出力された画像を切り替えて所定の表示部に表示させる画像切替装置であって、複数の電子機器のいずれかで動作するアプリケーションを実行させるための全てのアイコンをまとめて示すホーム画面を前記表示部に表示させる表示制御部と、前記表示部に表示した前記ホーム画面から特定のアイコンが選択されたことを示す操作情報を入力し、該入力した操作情報に基づいて、選択されたアイコンを判断する判断部と、を有し、前記表示制御部は、前記判断部による判断結果に従って、選択されたアイコンに対応するアプリケーションが動作する電子機器から出力された画像を前記表示部に表示させる制御を行うことを特徴としたものである。
【００１２】
第２技術手段は、第１の技術手段において、前記ホーム画面は、前記表示部に表示させている画像を出力する電子機器から取得されることを特徴としたものである。
【００１３】
第３の技術手段は、第１の技術手段において、前記ホーム画面を予め記憶する記憶部を有し、前記表示制御部は、前記記憶部から読み出した前記ホーム画面を前記表示部に表示することを特徴としたものである。
【００１４】
第４の技術手段は、ＯＳが異なる複数の電子機器と、画像を表示する表示部と、該表示部に表示された画像に対する操作入力を受け付ける操作部と、前記複数の電子機器から出力された画像を切り替えて前記表示部に表示させる画像切替装置とを有する画像切替システムであって、前記画像切替装置は、前記複数の電子機器のいずれかで動作するアプリケーションを実行させるための全てのアイコンをまとめて示すホーム画面を前記表示部に表示させる表示制御部と、前記操作部に対して、前記表示部に表示した前記ホーム画面から特定のアイコンが選択される操作が行われた際に、前記操作部から出力された操作情報を入力し、該入力した操作情報に基づいて、選択されたアイコンを判断する判断部と、を有し、前記操作情報は、前記複数の電子機器に入力され、前記選択されたアイコンに対応するアプリケーションを保持する電子機器は、前記選択されたアプリケーションを起動して、該アプリケーションにより生成された画像を前記表示制御部に出力し、前記表示制御部は、前記判断部による判断結果に従って、選択されたアイコンに対応するアプリケーションが動作する電子機器から出力された画像を前記表示部に表示させる制御を行うことを特徴としたものである。
【００１５】
第５の技術手段は、ＯＳが異なる複数の電子機器から出力された画像を切り替えて所定の表示部に表示させる画像切替装置により実行する画像切替方法であって、前記画像切替装置が、複数の電子機器のいずれかで動作するアプリケーションを実行させるための全てのアイコンをまとめて示すホーム画面を前記表示部に表示させるステップと、前記画像切替装置が、前記表示部に表示した前記ホーム画面から特定のアイコンが選択されたことを示す操作情報を入力し、該入力した操作情報に基づいて、選択されたアイコンを判断する判断ステップと、前記画像切替装置が、前記判断ステップによる判断結果に従って、選択されたアイコンに対応するアプリケーションが動作する電子機器から出力された画像を前記表示部に表示させるステップと、を有することを特徴としたものである。
【発明の効果】
【００１６】
本発明によれば、異なるＯＳで動作するアプリケーションを使用するシステムにおいて、ユーザに対してＯＳの切替を意識させることなく、かつ動作のパフォーマンスを低下させることなく任意のアプリケーションの画面表示を切り替えることができるようにする画面切替装置、画面切替システムおよび画面切替方法を提供することができる。
【図面の簡単な説明】
【００１７】
【図１】本発明の実施形態１の構成例を説明する図である。
【図２】図１のシステムに適用された画面切替装置の機能を説明するための図である。
【図３】ホーム画面の構成例を示す図である。
【図４】本発明の実施形態３の構成例を説明する図である。
【発明を実施するための形態】
【００１８】
図１は、本発明の実施形態１の構成例を説明する図である。画面切り替えシステムには、アプリケーションが動作する複数の電子機器が備えられる。これら電子機器には、互いに異なるＯＳで動作するものを用いることができる。
この例では、複数の電子機器の一例として、コピー機能、プリンタ機能、ファクシミリ機能、データファイリング機能などの複数の機能を備えた複合機（ＭＦＰ：Multifunction Peripheral）１と、アプリケーションの拡張機能を有する拡張装置（アプリケーションＢＯＸともいう）２とを使用するものとする。
【００１９】
そして本例の画面切替システムには、複合機１で生成された画面および拡張装置２で生成された画面を表示するための共有ディスプレイ４と、共有ディスプレイ４に表示させる画面を切り替えるディスプレイコントローラ３とが備えられる。ディスプレイコントローラ３は、複合機１に取り付けられているように図示されるが、共有ディスプレイと一体的に構成することができ、あるいは、複合機１の本体内部に内蔵することができる。また、共有ディスプレイ４は、複合機１の本体に一体的に取り付けられる。この場合、共有ディスプレイ４として複合機１に本来備えられているディスプレイを適用することができるが、複合機１のディスプレイとは別に設置したものであってもよい。本発明の画面切替装置は、これらの電子機器からの画面を適切に切り替えて、共有ディスプレイ４に表示させるディスプレイコントローラ３が該当する。
【００２０】
複合機１では、上記のような複数の機能を実行するためのアプリケーションが動作し、そのアプリケーションにより生成した画像をディスプレイコントローラ３に出力する。同様に拡張装置２においても、拡張装置２で動作するアプリケーションにより生成した画像をディスプレイコントローラ３に出力する。これら複合機１と拡張装置２で動作するＯＳは異なるＯＳであり、ディスプレイコントローラ３は、それぞれのＯＳで動作したアプリケーションの画面を切り替えて表示する。
【００２１】
このときに、ディスプレイコントローラ３は、複合機１と拡張装置２の異なるＯＳで動作するアプリケーションを選択して実行させるためのアイコンがまとめて表示された画面を共有ディスプレイ４に表示させる。そしてユーザによるアイコンの選択操作に応じて、共有ディスプレイ４の表示を、その選択されたアプリケーションが動作可能なＯＳを具備する複合機１または拡張装置２の表示に切り替えるように制御する。これにより、ユーザに対してＯＳやアプリケーションの切替を意識させることなく、かつアプリケーションを実行するパフォーマンスを低下させることなく、任意のアプリケーションの画面表示を切り替えることができるようにする。
【００２２】
図２は、図１のシステムに適用された画面切替装置の機能を説明するための図である。ディスプレイコントローラ３は、複合機１のＯＳにより動作するアプリケーションにより生成された画像（画像Ａとする）と、拡張装置２のＯＳにより動作するアプリケーションにより生成された画像（画像Ｂとする）とが入力され、これらの画像を切り替えて共有ディスプレイ４の表示部４１に表示させる表示制御部３１と、ユーザによるアイコンの選択操作を判断する判断部３２とが備えられる。
【００２３】
共有ディスプレイ４は、液晶パネルなどの表示部４１と、その表示部４１に対する操作入力を受け付ける操作部４２とを備える。表示部４１と操作部４２とによってタッチパネルを構成することができる。ユーザが操作部４２を操作することで、表示部４１に表示されたアイコンを選択してアプリケーションを実行させる操作入力を行うことができる。
【００２４】
表示制御部３１は、複合機１のＯＳで動作するアプリケーションを選択できるアイコンと、拡張装置２のＯＳで動作するアプリケーションを選択できるアイコンとを一つにまとめた画面（ホーム画面とする）を共有ディスプレイ４に表示させる。ユーザは、タッチパネルを使用して、共有ディスプレイ４に表示されたホーム画面から任意のアプリケーションを選択して実行させる操作入力を行うことができる。
【００２５】
ホーム画面は、例えば図３のように構成される。表示部４１に表示されるホーム画面１０には、複数のアイコン１１がまとめて一覧にして表示される。ここではアイコン１１が複数画面に分かれて表示されていてもよい。説明のために、図３に示すホーム画面１０のアイコン１１は、Ａ、Ｂ、Ｃ・・として示しているが、各アイコン１１は、例えばアプリケーションごとにデザインされ、アプリケーションを示すアイコンとして使用される。
【００２６】
このホーム画面１０では、複合機１のＯＳで動作するアイコンと、拡張装置２のＯＳで動作するアイコンとがまとめられて表示される。これらアイコンはＯＳごとに区別する必要はなく、適当に混在させたものであってもよい。これにより、ユーザは、いずれのＯＳで動作するアプリケーションであるかを特に意識することなく、任意のアプリケーションを選択する操作を行うことができる。
【００２７】
図２に戻って説明する。実施形態１では、上記のようなホーム画面は、例えば拡張装置２と複合機１との両方もしくはいずれかに予め保持させておくことができる。例えばシステムが起動したとき等の所定のデフォルト状態で拡張装置２からの画像を表示するとき、あるいは拡張装置２からの画像を表示中に所定のユーザ操作に従ってホーム画面を表示するとき、ディスプレイコントローラ３の表示制御部３１は、拡張装置２から出力されたホーム画面の画像を共有ディスプレイ４の表示部４１に表示させる制御を行う。
【００２８】
また、ディスプレイコントローラ３は、所定のデフォルト状態で複合機１の画面表示を行うとき、あるいは複合機１からの画像を表示中に所定のユーザ操作に従ってホーム画面表示するとき、複合機１から出力されたホーム画面を表示部４１に表示させる制御を行う。
複合機１と拡張装置２にホーム画面を保持させておくことで、画像表示の対象となっている電子機器からそのままホーム画面を出力させて表示させることができる。
【００２９】
また、本発明の実施形態２として、上記のホーム画面は、ディスプレイコントローラ３が保持するものであってもよい。この場合、ディスプレイコントローラ３は、ホーム画面を保持するメモリ（記憶部）を備え、表示制御部３１は、所定のデフォルト状態のとき、あるいはユーザ操作に従ってホーム画面を表示させるときには、メモリからホーム画面を読み出して、表示部４１に表示させる制御を行う。
ホーム画面をディスプレイコントローラ３で保持させる構成では、ホーム画面を表示した状態で、複合機１と拡張装置２の両方を省エネモードあるいはスリープモードに移行させることができ、低消費電力化の効果が得られる。
【００３０】
実施形態１、２のいずれの場合にも、共有ディスプレイ４では、表示部４１にホーム画面を表示したときに操作部４２によって特定のアイコンを選択する操作が入力されると、その操作情報がディスプレイコントローラ３の判断部３２に入力される。
判断部３２は、入力したアイコンの操作情報に基づいて、選択されたアイコンが動作する機器、つまり複合機１または拡張装置２を判断し、その機器から出力された画像を表示部４１に表示させるように表示制御部３１に指示する。
【００３１】
また、操作部４２からのアイコンを選択する操作情報は、複合機１および拡張装置２にも出力される。そして、複合機１および拡張装置２は、選択されたアイコンに該当するアプリケーションを自身が保持している場合、そのアプリケーションを起動して、そのアプリケーションにより処理を行って、生成した画像を表示制御部３１に出力する。表示制御部３１では、判断部３２による判断結果により、アプリケーションが起動された機器からの画像を表示部４１に表示するように制御されている。これにより、アプリケーションが起動した機器から出力された画像が、共有ディスプレイ４の表示部４１に表示される。
【００３２】
上記の構成により、アイコンをまとめて表示したホーム画面を使用して、そのホーム画面からのアイコンの選択操作に従って該当する電子機器でアプリケーションを起動し、その出力画像を表示させることができる。これにより、ユーザに対してＯＳの切替を意識させることなく、任意のアプリケーションの画像に切り替えることができる。また、各アプリリケーションは、それぞれの電子機器（上記の例では、複合機１および拡張装置２）のハードウェア上で動作するため、アプリケーションの動作におけるパフォーマンスの低下は生じない。また、各アプリケーションは、各電子機器上のＯＳで本来動作するものを使用するため、ＯＳを統合するためにアプリケーションの移植・最適化を行う必要はない。
【００３３】
図４は、本発明の実施形態３の構成例を説明する図である。本実施形態は、実施形態１で複合機１の本体に一体的に取り付けられていた共有ディスプレイ４を複合機１の本体とは別に独立して設けて構成したものであり、他の構成および動作については、実施形態１と同様である。
この例では、共有ディスプレイ４が複合機１の本体に対して保持部材５によって保持されるが、共有ディスプレイ４が複合機１の本体とは別に設けられるものであれば、このような構成に限定されない。
【００３４】
この場合、共有ディスプレイ４に表示させる画面を切り替えるディスプレイコントローラ３は、共有ディスプレイ４の筐体内に内蔵することができる。あるいはディスプレイコントローラ３を複合機１の本体内部に内蔵させるものであってもよい。
また、図２に示したように、共有ディスプレイ４には、表示部４１および操作部４２が設けられ、ユーザ操作が可能なタッチパネルが構成される。この場合、複合機１の本体部に設けられる操作パネルを省略し、共有ディスプレイ４にて全てのユーザ操作を受け付けるようにしてもよい。
他の構成および動作については、実施形態１と同様であるため、その繰り返しの説明は省略する。
また、実施形態３の構成において、実施形態２と同様にホーム画面をディスプレイコントローラ３が保持するものとしてもよい。
【００３５】
以上説明したように、本発明の画像切替装置は、ＯＳが異なる複数の電子機器から出力された画像を切り替えて所定の表示部に表示させる画像切替装置であって、複数の電子機器のいずれかで動作するアプリケーションを実行させるための全てのアイコンをまとめて示すホーム画面を表示部に表示させる表示制御部と、表示部に表示したホーム画面から特定のアイコンが選択されたことを示す操作情報を入力し、入力した操作情報に基づいて、選択されたアイコンを判断する判断部と、を有し、表示制御部は、判断部による判断結果に従って、選択されたアイコンに対応するアプリケーションが動作する電子機器から出力された画像を表示部に表示させる制御を行うことを特徴とする。そしてこれにより、異なるＯＳで動作するアプリケーションを使用するシステムにおいて、ユーザに対してＯＳの切替を意識させることなく、かつ動作のパフォーマンスを低下させることなく任意のアプリケーションの画面表示を切り替えることができる。
【００３６】
また、本発明の画像切替装置は、ホーム画面が、表示部に表示させている画像を出力する電子機器から取得されることを特徴としている。そしてこれにより、画像表示の対象となっている電子機器からそのままホーム画面を出力させて表示させることができる。
また、本発明の画像切替装置は、ホーム画面を予め記憶する記憶部を有し、表示制御部は、記憶部から読み出したホーム画面を表示部に表示することを特徴としている。これにより、複数の電子機器を省エネモードあるいはスリープモードに移行させることができ、低消費電力化の効果が得られる。
【００３７】
また、本発明の画像切替システムは、ＯＳが異なる複数の電子機器と、画像を表示する表示部と、表示部に表示された画像に対する操作入力を受け付ける操作部と、複数の電子機器から出力された画像を切り替えて表示部に表示させる画像切替装置とを有する画像切替システムであって、画像切替装置は、複数の電子機器のいずれかで動作するアプリケーションを実行させるための全てのアイコンをまとめて示すホーム画面を表示部に表示させる表示制御部と、操作部に対して、表示部に表示したホーム画面から特定のアイコンが選択される操作が行われた際に、操作部から出力された操作情報を入力し、入力した操作情報に基づいて、選択されたアイコンを判断する判断部と、を有し、操作情報は、複数の電子機器に入力され、選択されたアイコンに対応するアプリケーションを保持する電子機器は、選択されたアプリケーションを起動して、アプリケーションにより生成された画像を表示制御部に出力し、表示制御部は、判断部による判断結果に従って、選択されたアイコンに対応するアプリケーションが動作する電子機器から出力された画像を表示部に表示させる制御を行うことを特徴とする。これにより、異なるＯＳで動作するアプリケーションを使用するシステムにおいて、ユーザに対してＯＳの切替を意識させることなく、かつ動作のパフォーマンスを低下させることなく任意のアプリケーションの画面表示を切り替えることができる。
【００３８】
また、本発明の画像切替方法は、ＯＳが異なる複数の電子機器から出力された画像を切り替えて所定の表示部に表示させる画像切替装置により実行する画像切替方法であって、画像切替装置が、複数の電子機器のいずれかで動作するアプリケーションを実行させるための全てのアイコンをまとめて示すホーム画面を表示部に表示させるステップと、画像切替装置が、表示部に表示した前記ホーム画面から特定のアイコンが選択されたことを示す操作情報を入力し、入力した操作情報に基づいて、選択されたアイコンを判断する判断ステップと、画像切替装置が、判断ステップによる判断結果に従って、選択されたアイコンに対応するアプリケーションが動作する電子機器から出力された画像を前記表示部に表示させるステップと、を有することを特徴とする。そしてこれにより、異なるＯＳで動作するアプリケーションを使用するシステムにおいて、ユーザに対してＯＳの切替を意識させることなく、かつ動作のパフォーマンスを低下させることなく任意のアプリケーションの画面表示を切り替えることができる。
【符号の説明】
【００３９】
１…複合機、２…拡張装置、３…ディスプレイコントローラ、４…共有ディスプレイ、５…保持部材、１０…ホーム画面、１１…アイコン、３１…表示制御部、３２…判断部、４１…表示部、４２…操作部。
【図１】
2015026100.tif 000003
【図２】
2015026100.tif 000004
【図３】
2015026100.tif 000005
【図４】
2015026100.tif 000006